(57)【特許請求の範囲】
【請求項１】
直交周波数分割多重方式で変調された入力信号に対して所定の復調処理を実施することで、前記入力信号に含まれるＴＭＣＣ信号を検出する復調部と、
前記ＴＭＣＣ信号中のＴＭＣＣ情報を誤り訂正するとともに、誤り訂正の成否を判断する誤り訂正部と、
前記誤り訂正部により誤り訂正成功と判断されたＴＭＣＣ情報が複数の検査項目に則っているかを検査する第１検査部と、
前記誤り訂正部により誤り訂正不成功と判断された場合または前記第１検査部による前記複数の検査項目の少なくとも一の検査項目の検査が通らなかった場合、前記誤り訂正部により誤り訂正されたＴＭＣＣ情報が誤っていることを通知する通知部とを備えることを特徴とするＯＦＤＭ復調装置。
【請求項２】
直交周波数分割多重方式で変調された入力信号に対して所定の復調処理を実施することで、前記入力信号に含まれるＴＭＣＣ信号を検出する復調部と、
前記ＴＭＣＣ信号中のＴＭＣＣ情報を誤り訂正するとともに、誤り訂正の成否を判断する誤り訂正部と、
前記誤り訂正部の誤り訂正動作により得られるＴＭＣＣ情報が所定の放送伝送規格または放送運用規格の少なくともいずれかに則っているかを検査する第１検査部と、
前記第１検査部による検査が通らなかった場合、前記誤り訂正部により誤り訂正されたＴＭＣＣ情報が誤っていることを通知する通知部とを備え、
前記第１検査部は、前記誤り訂正部の誤り訂正動作により得られるＴＭＣＣ情報を複数の検査項目について並列に検査することを特徴とするＯＦＤＭ復調装置。
【請求項３】
直交周波数分割多重方式で変調された入力信号に対して所定の復調処理を実施することで、前記入力信号に含まれるＴＭＣＣ信号を検出する復調部と、
前記ＴＭＣＣ信号中のＴＭＣＣ情報を誤り訂正するとともに、誤り訂正の成否を判断する誤り訂正部と、
前記誤り訂正部の誤り訂正動作により得られるＴＭＣＣ情報が所定の放送伝送規格または放送運用規格の少なくともいずれかに則っているかを検査する第１検査部と、
前記第１検査部による検査が通らなかった場合、前記誤り訂正部により誤り訂正されたＴＭＣＣ情報が誤っていることを通知する通知部とを備え、
前記第１検査部は、前記誤り訂正部の誤り訂正動作により得られるＴＭＣＣ情報を複数の検査項目について順番に検査し、前記複数の検査項目のいずれかについての検査が通らなかった場合、それ以降の検査を省略することを特徴とするＯＦＤＭ復調装置。
【請求項４】
直交周波数分割多重方式で変調された入力信号に対して所定の復調処理を実施することで、前記入力信号に含まれるＴＭＣＣ信号を検出する復調部と、
前記ＴＭＣＣ信号中のＴＭＣＣ情報を誤り訂正するとともに、誤り訂正の成否を判断する誤り訂正部と、
前記誤り訂正部の誤り訂正動作により得られるＴＭＣＣ情報が所定の放送伝送規格または放送運用規格の少なくともいずれかに則っているかを検査する第１検査部と、
前記第１検査部による検査が通らなかった場合、前記誤り訂正部により誤り訂正されたＴＭＣＣ情報が誤っていることを通知する通知部とを備え、
前記誤り訂正部により誤り訂正されたＴＭＣＣ情報を所定数だけ順次蓄積し、蓄積しているＴＭＣＣ情報同士が一致するかを検査する第２検査部を更に備え、
前記通知部は、前記第２検査部による検査が通らなかった場合にも、前記誤り訂正部により誤り訂正されたＴＭＣＣ情報が誤っていることを通知することを特徴とするＯＦＤＭ復調装置。
【請求項５】
直交周波数分割多重方式で変調された入力信号に対して所定の復調処理を実施することで、前記入力信号に含まれるＴＭＣＣ信号を検出する復調部と、
前記ＴＭＣＣ信号中のＴＭＣＣ情報を誤り訂正するとともに、誤り訂正の成否を判断する誤り訂正部と、
前記誤り訂正部により誤り訂正成功と判断されたＴＭＣＣ情報を所定数だけ順次蓄積し、蓄積しているＴＭＣＣ情報同士が一致するかを検査する検査部と、
前記誤り訂正部により誤り訂正不成功と判断された場合または前記検査部により蓄積された前記ＴＭＣＣ情報同士が一致しないと判断された場合、前記誤り訂正部により誤り訂正されたＴＭＣＣ情報が誤っていることを通知する通知部とを備えることを特徴とするＯＦＤＭ復調装置。
【請求項６】
前記誤り訂正部により誤り訂正成功と判断されたＴＭＣＣ情報が複数の検査項目に則っているかを検査する第１検査部を含み、
前記検査部は、前記誤り訂正部により誤り訂正成功と判断されたＴＭＣＣ情報を所定数だけ順次蓄積し、蓄積しているＴＭＣＣ情報同士が一致するかを検査することを特徴とする請求項５に記載のＯＦＤＭ復調装置。
【発明の詳細な説明】
【技術分野】
【０００１】
本発明は、直交周波数分割多重（ＯＦＤＭ：Orthogonal Frequency Division Multiplex）方式に従って変調された信号を復調するＯＦＤＭ復調装置に関する。
【背景技術】
【０００２】
ＯＦＤＭ方式で変調された放送信号を送受信する地上ディジタル放送において、放送信号に重畳されているＴＭＣＣ（Transmission and Multiplexing Configuration Control）信号は、システム識別、部分受信、キャリア変調方式、畳み込み符号化率、インタリーブ長やセグメント数等を指示するＴＭＣＣ情報（符号化部分）を含んでいる。
受信側に設けられるＯＦＤＭ復調装置では、まず、受信した放送信号を高速フーリエ変換（ＦＦＴ：Fast Fourier Transform）して得られた信号に対してＤＢＰＳＫ（Double Binary Phase Shift Keying）方式の復調処理が実施され、ＴＭＣＣ信号が検出される。そして、ＴＭＣＣ信号中のＴＭＣＣ情報に対して差集合巡回符号（２７３，１９１）の短縮符号（１８４，１０２）を使用した誤り訂正処理が実施されるとともに、誤り訂正の成否が判断される。誤り訂正処理により得られたＴＭＣＣ情報は、誤り訂正成功と判断された場合にのみ、パラメータ更新に使用される。このようなＯＦＤＭ復調装置に関する技術は、例えば、特許文献１、２に開示されている。
【特許文献１】特開平１１−２５２１８９号公報
【特許文献２】特開２００２−２１８３３９号公報
【発明の開示】
【発明が解決しようとする課題】
【０００３】
ＯＦＤＭ復調装置では、受信状態の劣化に伴うＴＭＣＣ信号中のＴＭＣＣ情報におけるエラー数の増加等に起因して、誤り訂正成功と判断されたにも拘わらず、誤り訂正処理により得られたＴＭＣＣ情報が実際には誤っている場合がある。このような場合、誤ったＴＭＣＣ情報を使用してパラメータ更新が実施され、ＯＦＤＭ復調装置が誤動作してしまう可能性がある。誤ったＴＭＣＣ情報がパラメータ更新に使用されてＯＦＤＭ復調装置が誤動作してしまった場合、ＯＦＤＭ復調装置にリセットをかける必要があり、次のパラメータ更新の実施後に、各種インタリーブ時間分だけ主信号に対する復調処理が正しく実施されないという問題がある。
【０００４】
本発明は、このような問題点に鑑みてなされたものであり、誤ったＴＭＣＣ情報がパラメータ更新に使用されてＯＦＤＭ復調装置が誤動作することを防止することを目的とする。
【課題を解決するための手段】
【０００５】
本発明の一態様では、ＯＦＤＭ復調装置は、直交周波数分割多重方式で変調された入力信号に対して所定の復調処理を実施することで、入力信号に含まれるＴＭＣＣ信号を検出する復調部と、ＴＭＣＣ信号中のＴＭＣＣ情報を誤り訂正するとともに、誤り訂正の成否を判断する誤り訂正部と、誤り訂正部により誤り訂正成功と判断されたＴＭＣＣ情報が複数の検査項目に則っているかを検査する第１検査部と、誤り訂正部により誤り訂正不成功と判断された場合または第１検査部による複数の検査項目の少なくとも一の検査項目の検査が通らなかった場合、誤り訂正部により誤り訂正されたＴＭＣＣ情報が誤っていることを通知する通知部とを備える。
本発明に関連する第１技術では、ＯＦＤＭ復調装置は、復調部、誤り訂正部、第１検査部および通知部を備えて構成される。復調部は、直交周波数分割多重方式で変調された入力信号に対して所定の復調処理を実施することで、入力信号に含まれるＴＭＣＣ信号を検出する。誤り訂正部は、復調部により検出されたＴＭＣＣ信号中のＴＭＣＣ情報を誤り訂正するとともに、誤り訂正の成否を判断する。第１検査部は、誤り訂正部の誤り訂正動作により得られるＴＭＣＣ情報が所定の放送伝送規格または放送運用規格の少なくともいずれかに則っているかを検査する。通知部は、第１検査部による検査が通らなかった場合、誤り訂正部により誤り訂正されたＴＭＣＣ情報が誤っていることを通知する。
【０００６】
地上ディジタル放送では、放送伝送規格および放送運用規格に応じてどのようなＴＭＣＣ情報が伝送されるかが決められている。このため、誤り訂正部により誤り訂正成功と判断された場合でも、誤り訂正部の誤り訂正動作により得られるＴＭＣＣ情報が放送伝送規格または放送運用規格のいずれにも則っていなければ、そのときのＴＭＣＣ情報は誤っているものと推定することができる。このことに着目して、前述のＯＦＤＭ復調装置では、誤り訂正部により誤り訂正成功と判断された場合でも、第１検査部による検査が通らなければ、通知部によりそのときのＴＭＣＣ情報が誤っていることが通知される。従って、誤ったＴＭＣＣ情報がパラメータ更新に使用されてＯＦＤＭ復調装置が誤動作することを防止できる。
【０００７】
本発明に関連する第１技術における好ましい例では、第１検査部は、誤り訂正部の誤り訂正動作により得られるＴＭＣＣ情報を複数の検査項目について並列に検査する。これにより、第１検査部によるＴＭＣＣ情報に対する検査を短時間で実施できる。
本発明に関連する第１技術における好ましい例では、第１検査部は、誤り訂正部の誤り訂正動作により得られるＴＭＣＣ情報を複数の検査項目について順番に検査する。第１検査部は、複数の検査項目のいずれかについての検査が通らなかった場合、それ以降の検査を省略する。従って、ＴＭＣＣ情報を複数の検査項目について並列に検査する場合に比べて、ＯＦＤＭ復調装置の消費電力のピークを低減できる。
【０００８】
本発明に関連する第１技術における好ましい例では、ＯＦＤＭ復調装置は、第２検査部を更に備えて構成される。第２検査部は、誤り訂正部により誤り訂正されたＴＭＣＣ情報を所定数だけ順次蓄積し、蓄積しているＴＭＣＣ情報同士が一致するかを検査する。通知部は、第２検査部による検査が通らなかった場合にも、誤り訂正部により誤り訂正されたＴＭＣＣ情報が誤っていることを通知する。
【０００９】
誤り訂正部により誤り訂正成功と判断された場合でも、そのときのＴＭＣＣ情報が以前のＴＭＣＣ情報と一致しなければ、そのときのＴＭＣＣ情報は誤っているものと推定することができる。このことに着目して、前述のＯＦＤＭ復調装置では、誤り訂正部により誤り訂正成功と判断され、かつ第１検査部による検査が通った場合でも、第２検査部による検査が通らなければ、通知部によりそのときのＴＭＣＣ情報が誤っていることが通知される。このため、誤ったＴＭＣＣ情報がパラメータ更新に使用されてＯＦＤＭ復調装置が誤動作することをより確実に防止できる。
【００１０】
本発明に関連する第２技術では、ＯＦＤＭ復調装置は、復調部、誤り訂正部、検査部および通知部を備えて構成される。復調部は、直交周波数分割多重方式で変調された入力信号に対して所定の復調処理を実施することで、入力信号に含まれるＴＭＣＣ信号を検出する。誤り訂正部は、復調部により検出されたＴＭＣＣ信号中のＴＭＣＣ情報を誤り訂正するとともに、誤り訂正の成否を判断する。検査部は、誤り訂正部により誤り訂正されたＴＭＣＣ情報を所定数だけ順次蓄積し、蓄積しているＴＭＣＣ情報同士が一致するかを検査する。通知部は、検査部による検査が通らなかった場合、誤り訂正部により誤り訂正されたＴＭＣＣ情報が誤っていることを通知する。
【００１１】
誤り訂正部により誤り訂正成功と判断された場合でも、そのときのＴＭＣＣ情報が以前のＴＭＣＣ情報と一致しなければ、そのときのＴＭＣＣ情報は誤っているものと推定することができる。このことに着目して、前述のＯＦＤＭ復調装置では、誤り訂正部により誤り訂正成功と判断された場合でも、検査部による検査が通らなければ、通知部によりそのときのＴＭＣＣ情報が誤っていることが通知される。従って、誤ったＴＭＣＣ情報がパラメータ更新に使用されてＯＦＤＭ復調装置が誤動作することを防止できる。
【発明の効果】
【００１２】
本発明によれば、誤ったＴＭＣＣ情報がパラメータ更新に使用されてＯＦＤＭ復調装置が誤動作することを防止できる。
【発明を実施するための最良の形態】
【００１３】
以下、図面を用いて本発明の実施形態を説明する。図１は、本発明の第１実施形態を示している。図２は、ＴＭＣＣ信号のビット構成を示している。図３は、ＴＭＣＣ情報に対する検査項目を示している。第１実施形態のＯＦＤＭ復調装置１０は、ＤＢＰＳＫ復調部１１、ＴＭＣＣデコード部１２、ＴＭＣＣ情報検査部１３およびエラーフラグ出力部１４を有している。なお、図１では、ＯＦＤＭ復調装置１０におけるＴＭＣＣ信号の処理に関連する部分のみを図示している。
【００１４】
ＤＢＰＳＫ復調部１１は、入力信号ＩＮに対してＤＢＰＳＫ方式の復調処理を実施することで、入力信号ＩＮに含まれるＴＭＣＣ信号を検出して出力する。例えば、入力信号ＩＮは、地上ディジタル放送信号（受信信号）を高速フーリエ変換して得られた信号である。また、ＴＭＣＣ信号は、図２に示すように、日本の地上ディジタル放送の規格であるＩＳＤＢ−Ｔ（Integrated Services Digital Broadcasting - Terrestrial）規格に準拠する２０４ビットの信号である。
【００１５】
ＴＭＣＣデコード部１２は、ＤＢＰＳＫ復調部１１から出力されるＴＭＣＣ信号中のＴＭＣＣ情報（ビット２０〜ビット１２１）に対して差集合巡回符号の短縮符号を使用した誤り訂正処理を実施し、誤り訂正処理の完了後のデータをＴＭＣＣ情報ＰＡＲとして出力する。また、ＴＭＣＣデコード部１２は、誤り訂正の成否を判断し、誤り訂正成功と判断した場合に判断結果信号ＪＲ０を非活性化させ、誤り訂正失敗と判断した場合に判断結果信号ＪＲ０を活性化させる。
【００１６】
ＴＭＣＣ情報検査部１３は、検査回路ＣＡ１〜ＣＡ９および判断回路ＪＡ１を有している。検査回路ＣＡ１（ＣＡ２〜ＣＡ９）は、ＴＭＣＣデコード部１２による誤り訂正成功との判断に伴って、ＴＭＣＣ情報ＰＡＲを取得して図３に示す検査項目１（２〜９）を満たすかを検査する。検査回路ＣＡ１（ＣＡ２〜ＣＡ９）は、検査が通った場合に検査結果信号ＣＲ１（ＣＲ２〜ＣＲ９）を非活性化させ、検査が通らなかった場合に検査結果信号ＣＲ１（ＣＲ２〜ＣＲ９）を活性化させる。ここで、検査項目１〜８は、ＴＭＣＣ情報ＰＡＲが放送伝送規格に則っているかを検査するための項目に相当する。検査項目９は、ＴＭＣＣ情報ＰＡＲが放送伝送規格における放送運用規格に則っているかを検査するための項目に相当する。なお、本実施形態では、検査項目（検査回路）の数が９個であるものとしているが、検査項目（検査回路）の数を９個より少なくしても多くしてもよいことは言うまでもない。判断回路ＪＡ１は、検査結果信号ＣＲ１〜ＣＲ９の全てが非活性化されている場合、ＴＭＣＣ情報ＰＡＲは正しいと判断して判断結果信号ＪＲ１を非活性化させる。判断回路ＪＡ１は、検査結果信号ＣＲ１〜ＣＲ９の少なくともいずれかが活性化されている場合、ＴＭＣＣ情報ＰＡＲは誤っていると判断して判断結果信号ＪＲ１を活性化させる。
【００１７】
エラーフラグ出力部１４は、判断結果信号ＪＲ０、ＪＲ１の双方が非活性化されている場合、ＴＭＣＣ情報ＰＡＲが正しい旨を通知するためにエラーフラグ信号ＥＦを非活性化させる。エラーフラグ出力部１４は、判断結果信号ＪＲ０、ＪＲ１の少なくともいずれかが活性化されている場合、ＴＭＣＣ情報ＰＡＲが誤っている旨を通知するためにエラーフラグ信号ＥＦを活性化させる。ＯＦＤＭ復調装置１０では、エラーフラグ信号ＥＦが非活性化されている場合にのみ、ＴＭＣＣ情報ＰＡＲを使用してパラメータ更新が実施される。すなわち、ＯＦＤＭ復調装置１０では、エラーフラグ信号ＥＦが活性化されている場合には、ＴＭＣＣ情報ＰＡＲを使用してパラメータ更新が実施されることはない。
【００１８】
図４は、図１のＯＦＤＭ復調装置の動作を示している。前述のような構成のＯＦＤＭ復調装置１０では、まず、ＤＢＰＳＫ復調部１１により、入力信号ＩＮに対するＤＢＰＳＫ方式の復調処理が実施され、入力信号ＩＮに含まれるＴＭＣＣ信号が検出される（ステップＳ１１）。次に、ＴＭＣＣデコード部１２により、ＴＭＣＣ信号中のＴＭＣＣ情報に対する誤り訂正処理が実施される（ステップＳ１２）。そして、ＴＭＣＣデコード部１２により、誤り訂正の成否が判断される（ステップＳ１３）。
【００１９】
ＴＭＣＣデコード部１２により誤り訂正成功と判断された場合、ＴＭＣＣ情報検査部１３（検査回路ＣＡ１〜ＣＡ９および判断回路ＪＡ１）により、ＴＭＣＣ情報ＰＡＲが検査項目１〜９の全てを満たすかが検査される（ステップＳ１４）。ＴＭＣＣ情報検査部１３による検査が通った場合、エラーフラグ出力部１４により、エラーフラグ信号ＥＦが非活性化される（ステップＳ１５）。そして、このときのＴＭＣＣ情報ＰＡＲを使用してパラメータ更新が実施される。（ステップＳ１６）。一方、ＴＭＣＣデコード部１２により誤り訂正失敗と判断された場合、あるいはＴＭＣＣ情報検査部１３による検査が通らなかった場合、エラーフラグ出力部１４により、エラーフラグ信号ＥＦが活性化される（ステップＳ１７）。従って、このときのＴＭＣＣ情報ＰＡＲを使用してパラメータ更新が実施されることはない。
【００２０】
以上のような第１実施形態では、ＴＭＣＣデコード部１２により誤り訂正成功と判断された場合でも、ＴＭＣＣ情報検査部１３による検査（ＴＭＣＣ情報ＰＡＲが放送伝送規格または放送運用規格の少なくともいずれかに則っているかを検査）が通らなければ、エラーフラグ出力部１４によりエラーフラグ信号ＥＦが活性化される。従って、誤ったＴＭＣＣ情報ＰＡＲがパラメータ更新に使用されてＯＦＤＭ復調装置１０が誤動作することを防止できる。
【００２１】
図５は、本発明の比較例を示している。比較例を説明するにあたって、第１実施形態で説明した要素と同一の要素については、同一の符号を付して詳細な説明を省略する。比較例のＯＦＤＭ復調装置９０は、第１実施形態のＯＦＤＭ復調装置１０に対して、ＴＭＣＣ情報検査部１３およびエラーフラグ出力部１４を取り除くとともに、ＴＭＣＣデコード部１２をＴＭＣＣデコード部９２に置き換えて構成されている。ＴＭＣＣデコード部９２は、ＤＢＰＳＫ復調部１１から出力されるＴＭＣＣ信号中のＴＭＣＣ情報に対して差集合巡回符号の短縮符号を使用した誤り訂正処理を実施し、誤り訂正処理の完了後のデータをＴＭＣＣ情報ＰＡＲとして出力する。また、ＴＭＣＣデコード部９２は、誤り訂正の成否を判断し、誤り訂正成功と判断した場合にエラーフラグ信号ＥＦを非活性化させ、誤り訂正失敗と判断した場合にエラーフラグ信号ＥＦを活性化させる。
【００２２】
図６は、図５のＯＦＤＭ復調装置の動作を示している。前述のような構成のＯＦＤＭ復調装置９０では、まず、ＤＢＰＳＫ復調部１１により、入力信号ＩＮに対するＤＢＰＳＫ方式の復調処理が実施され、入力信号ＩＮに含まれるＴＭＣＣ信号が検出される（ステップＳ９１）。次に、ＴＭＣＣデコード部９２により、ＴＭＣＣ信号中のＴＭＣＣ情報に対する誤り訂正処理が実施される（ステップＳ９２）。そして、ＴＭＣＣデコード部９２により、誤り訂正の成否が判断される（ステップＳ９３）。
【００２３】
ＴＭＣＣデコード部９２により誤り訂正成功と判断された場合、ＴＭＣＣデコード部９２により、エラーフラグ信号ＥＦが非活性化される（ステップＳ９４）。そして、このときのＴＭＣＣ情報ＰＡＲを使用してパラメータ更新が実施される。（ステップＳ９５）。一方、ＴＭＣＣデコード部９２により誤り訂正失敗と判断された場合、ＴＭＣＣデコード部９２により、エラーフラグ信号ＥＦが活性化される（ステップＳ９６）。従って、このときのＴＭＣＣ情報ＰＡＲを使用してパラメータ更新が実施されることはない。
【００２４】
以上のような比較例では、ＴＭＣＣデコード部９２により誤り訂正成功と判断されてエラーフラグ信号ＥＦが非活性化されているにも拘わらず、ＴＭＣＣ情報ＰＡＲが実際には誤っている場合、誤ったＴＭＣＣ情報ＰＡＲがパラメータ更新に使用されてＯＦＤＭ復調装置９０が誤動作してしまう可能性がある。
図７は、本発明の第２実施形態を示している。第２実施形態を説明するにあたって、第１実施形態で説明した要素と同一の要素については、同一の符号を付して詳細な説明を省略する。第２実施形態のＯＦＤＭ復調装置２０は、第１実施形態のＯＦＤＭ復調装置１０に対して、ＴＭＣＣ情報検査部１３をＴＭＣＣ情報検査部２３に置き換えて構成されている。
【００２５】
ＴＭＣＣ情報検査部２３は、検査回路ＣＢ１〜ＣＢ９および判断回路ＪＢ１を有している。検査回路ＣＢ１は、ＴＭＣＣデコード部１２による誤り訂正成功との判断に伴って、ＴＭＣＣ情報ＰＡＲを取得して検査項目１を満たすかを検査する。検査回路ＣＢ１は、検査が通った場合、検査結果信号ＣＲ１を非活性化させるとともに、検査したＴＭＣＣ情報を出力する。また、検査回路ＣＢ１は、検査が通らなかった場合、検査結果信号ＣＲ１を活性化させる。
【００２６】
検査回路ＣＢ２（ＣＢ３〜ＣＢ８）は、検査回路ＣＢ１（ＣＢ２〜ＣＢ７）による検査のパスに伴って、検査回路ＣＢ１（ＣＢ２〜ＣＢ７）から出力されるＴＭＣＣ情報を取得して検査項目２（３〜８）を満たすかを検査する。検査回路ＣＢ２（ＣＢ３〜ＣＢ８）は、検査が通った場合、検査結果信号ＣＲ２（ＣＲ３〜ＣＲ８）を非活性化させるとともに、検査したＴＭＣＣ情報を出力する。また、検査回路ＣＢ２（ＣＢ３〜ＣＢ８）は、検査が通らなかった場合、検査結果信号ＣＲ２（ＣＲ３〜ＣＲ８）を活性化させる。検査回路ＣＢ９は、検査回路ＣＢ８による検査のパスに伴って、検査回路８から出力されるＴＭＣＣ情報を取得して検査項目９を満たすかを検査する。検査回路ＣＢ９は、検査が通った場合に検査結果信号ＣＲ９を非活性化させ、検査が通らなかった場合に検査結果信号ＣＲ９を活性化させる。判断回路ＪＢ１は、検査結果信号ＣＲ１〜ＣＲ９の全てが非活性化されている場合、ＴＭＣＣ情報ＰＡＲは正しいと判断して判断結果信号ＪＲ１を非活性化させる。判断回路ＪＢ１は、検査結果信号ＣＲ１〜ＣＲ９の少なくともいずれかが活性化されている場合、ＴＭＣＣ情報ＰＡＲは誤っていると判断して判断結果信号ＪＲ１を活性化させる。
【００２７】
図８は、図７のＯＦＤＭ復調装置の動作を示している。前述のような構成のＯＦＤＭ復調装置２０では、まず、ＤＢＰＳＫ復調部１１により、入力信号ＩＮに対するＤＢＰＳＫ方式の復調処理が実施され、入力信号ＩＮに含まれるＴＭＣＣ信号が検出される（ステップＳ２１）。次に、ＴＭＣＣデコード部１２により、ＴＭＣＣ信号中のＴＭＣＣ情報に対する誤り訂正処理が実施される（ステップＳ２２）。そして、ＴＭＣＣデコード部１２により、誤り訂正の成否が判断される（ステップＳ２３）。
【００２８】
ＴＭＣＣデコード部１２により誤り訂正成功と判断された場合、ＴＭＣＣ情報検査部２３（検査回路ＣＢ１および判断回路ＪＢ１）により、ＴＭＣＣ情報ＰＡＲが検査項目１を満たすかが検査される（ステップＳ２４１）。ＴＭＣＣ情報検査部２３による検査項目１についての検査が通った場合、ＴＭＣＣ情報検査部２３（検査回路ＣＢ２および判断回路ＪＢ１）により、ＴＭＣＣ情報ＰＡＲが検査項目２を満たすかが検査される（ステップＳ２４２）。この後、同様に、ＴＭＣＣ情報検査部２３（検査回路ＣＢ３〜ＣＢ９および判断回路ＪＢ１）により、ＴＭＣＣ情報ＰＡＲが検査項目３〜９を満たすかが順番に検査される（ステップＳ２４３〜Ｓ２４９）。
【００２９】
ＴＭＣＣ情報検査部２３による検査項目９についての検査が通った場合、エラーフラグ出力部１４により、エラーフラグ信号ＥＦが非活性化される（ステップＳ２５）。そして、このときのＴＭＣＣ情報ＰＡＲを使用してパラメータ更新が実施される。（ステップＳ２６）。一方、ＴＭＣＣデコード部１２により誤り訂正失敗と判断された場合、あるいはＴＭＣＣ情報検査部２３による検査項目１〜９についての検査のいずれかが通らなかった場合、エラーフラグ出力部１４により、エラーフラグ信号ＥＦが活性化される（ステップＳ２７）。従って、このときのＴＭＣＣ情報ＰＡＲを使用してパラメータ更新が実施されることはない。
【００３０】
以上のような第２実施形態でも、第１実施形態と同様の効果が得られる。また、第２実施形態では、ＴＭＣＣ情報ＰＡＲが検査項目１〜９を満たすかが順番に検査されるため、第１実施形態に比べて、ＯＦＤＭ復調装置の消費電力のピークを低減できる。
図９は、本発明の第３実施形態を示している。第３実施形態を説明するにあたって、第１実施形態で説明した要素と同一の要素については、同一の符号を付して詳細な説明を省略する。第３実施形態のＯＦＤＭ復調装置３０は、第１実施形態のＯＦＤＭ復調装置１０に対して、ＴＭＣＣ情報検査部１３およびエラーフラグ出力部１４をＴＭＣＣ情報検査部３３およびエラーフラグ出力部３４にそれぞれ置き換えて構成されている。
【００３１】
ＴＭＣＣ情報検査部３３は、バッファＢＡ１〜ＢＡｎおよび判断回路ＪＡ２を有している。バッファＢＡ１は、ＴＭＣＣデコード部１２による誤り訂正成功との判断に伴って、ＴＭＣＣ情報ＰＡＲを取得する。バッファＢＡ２（ＢＡ３〜ＢＡｎ）は、ＴＭＣＣデコード部１２による誤り訂正成功との判断に伴って、バッファＢＡ１（ＢＡ２〜ＢＡｎ−１）の保持データを取得する。
【００３２】
判断回路ＪＡ２は、バッファＢＡ１の保持データ（現在のＴＭＣＣ情報ＰＡＲ）をバッファＢＡ２〜ＢＡｎの保持データ（過去のＴＭＣＣ情報ＰＡＲ）とそれぞれ比較する。但し、判断回路ＪＡ２は、緊急時やパラメータ更新時に変化するパラメータ（カウントダウン信号や緊急信号等）については比較しない。判断回路ＪＡ２は、バッファＢＡ１の保持データがバッファＢＡ２〜ＢＡｎの保持データと一致する場合、ＴＭＣＣ情報ＰＡＲは正しいと判断して判断結果信号ＪＲ２を非活性化させる。判断回路ＪＡ２は、バッファＢＡ１の保持データがバッファＢＡ２〜ＢＡｎの保持データと一致しない場合、ＴＭＣＣ情報ＰＡＲは誤っていると判断して判断結果信号ＪＲ２を活性化させる。
【００３３】
エラーフラグ出力部３４は、判断結果信号ＪＲ０、ＪＲ２の双方が非活性化されている場合、ＴＭＣＣ情報ＰＡＲが正しい旨を通知するためにエラーフラグ信号ＥＦを非活性化させる。エラーフラグ出力部３４は、判断結果信号ＪＲ０、ＪＲ２の少なくともいずれかが活性化されている場合、ＴＭＣＣ情報ＰＡＲが誤っている旨を通知するためにエラーフラグ信号ＥＦを活性化させる。
【００３４】
図１０は、図９のＯＦＤＭ復調装置の動作を示している。前述のような構成のＯＦＤＭ復調装置３０では、まず、ＤＢＰＳＫ復調部１１により、入力信号ＩＮに対するＤＢＰＳＫ方式の復調処理が実施され、入力信号ＩＮに含まれるＴＭＣＣ信号が検出される（ステップＳ３１）。次に、ＴＭＣＣデコード部１２により、ＴＭＣＣ信号中のＴＭＣＣ情報に対する誤り訂正処理が実施される（ステップＳ３２）。そして、ＴＭＣＣデコード部１２により、誤り訂正の成否が判断される（ステップＳ３３）。
【００３５】
ＴＭＣＣデコード部１２により誤り訂正成功と判断された場合、ＴＭＣＣ情報検査部３３（バッファＢＡ１〜ＢＡｎおよび判断回路ＪＡ２）により、現在のＴＭＣＣ情報ＰＡＲが過去のＴＭＣＣ情報ＰＡＲと一致するかが検査される（ステップＳ３４）。ＴＭＣＣ情報検査部３３による検査が通った場合、エラーフラグ出力部３４により、エラーフラグ信号ＥＦが非活性化される（ステップＳ３５）。そして、このときのＴＭＣＣ情報ＰＡＲを使用してパラメータ更新が実施される。（ステップＳ３６）。一方、ＴＭＣＣデコード部１２により誤り訂正失敗と判断された場合、あるいはＴＭＣＣ情報検査部３３による検査が通らなかった場合、エラーフラグ出力部３４により、エラーフラグ信号ＥＦが活性化される（ステップＳ３７）。従って、このときのＴＭＣＣ情報ＰＡＲを使用してパラメータ更新が実施されることはない。
【００３６】
以上のような第３実施形態では、ＴＭＣＣデコード部１２により誤り訂正成功と判断された場合でも、ＴＭＣＣ情報検査部３３による検査（現在のＴＭＣＣ情報ＰＡＲが過去のＴＭＣＣ情報ＰＡＲと一致するかを検査）が通らなければ、エラーフラグ出力部３４によりエラーフラグ信号ＥＦが活性化される。従って、誤ったＴＭＣＣ情報ＰＡＲがパラメータ更新に使用されてＯＦＤＭ復調装置３０が誤動作することを防止できる。
【００３７】
図１１は、本発明の第４実施形態を示している。第４実施形態を説明するにあたって、第１および第３実施形態で説明した要素と同一の要素については、同一の符号を付して詳細な説明を省略する。第４実施形態のＯＦＤＭ復調装置２０は、第１実施形態のＯＦＤＭ復調装置１０に対して、ＴＭＣＣ情報検査部４３を加えるとともに、エラーフラグ出力部１４をエラーフラグ出力部４４に置き換えて構成されている。
【００３８】
ＴＭＣＣ情報検査部４３は、バッファＢＢ１〜ＢＢｎおよび判断回路ＪＢ２を有している。バッファＢＢ１は、ＴＭＣＣ情報検査部１３の判断回路ＪＡ１によるＴＭＣＣ情報ＰＡＲは正しいとの判断に伴って、ＴＭＣＣ情報ＰＡＲを取得する。バッファＢＢ２（ＢＢ３〜ＢＢｎ）は、ＴＭＣＣ情報検査部１３の判断回路ＪＡ１によるＴＭＣＣ情報ＰＡＲは正しいとの判断に伴って、バッファＢＢ１（ＢＢ２〜ＢＢｎ−１）の保持データを取得する。
【００３９】
判断回路ＪＢ２は、バッファＢＢ１の保持データ（現在のＴＭＣＣ情報ＰＡＲ）をバッファＢＢ２〜ＢＢｎの保持データ（過去のＴＭＣＣ情報ＰＡＲ）とそれぞれ比較する。但し、判断回路ＪＢ２は、緊急時やパラメータ更新時に変化するパラメータ（カウントダウン信号や緊急信号等）については比較しない。判断回路ＪＢ２は、バッファＢＢ１の保持データがバッファＢＢ２〜ＢＢｎの保持データと一致する場合、ＴＭＣＣ情報ＰＡＴは正しいと判断して判断結果信号ＪＲ２を非活性化させる。判断回路ＪＢ２は、バッファＢＢ１の保持データがバッファＢＢ２〜ＢＢｎの保持データと一致しない場合、ＴＭＣＣ情報ＰＡＲは誤っていると判断して判断結果信号ＪＲ２を活性化させる。
【００４０】
エラーフラグ出力部４４は、判断結果信号ＪＲ０〜ＪＲ２の全てが非活性化されている場合、ＴＭＣＣ情報ＰＡＲが正しい旨を通知するためにエラーフラグ信号ＥＦを非活性化させる。エラーフラグ出力部４４は、判断結果信号ＪＲ０〜ＪＲ２の少なくともいずれかが活性化されている場合、ＴＭＣＣ情報ＰＡＲが誤っている旨を通知するためにエラーフラグ信号ＥＦを活性化させる。
【００４１】
図１２は、図１１のＯＦＤＭ復調装置の動作を示している。前述のような構成のＯＦＤＭ復調装置４０では、まず、ＤＢＰＳＫ復調部１１により、入力信号ＩＮに対するＤＢＰＳＫ方式の復調処理が実施され、入力信号ＩＮに含まれるＴＭＣＣ信号が検出される（ステップＳ４１）。次に、ＴＭＣＣデコード部１２により、ＴＭＣＣ信号中のＴＭＣＣ情報に対する誤り訂正処理が実施される（ステップＳ４２）。そして、ＴＭＣＣデコード部１２により、誤り訂正の成否が判断される（ステップＳ４３）。
【００４２】
ＴＭＣＣデコード部１２により誤り訂正成功と判断された場合、ＴＭＣＣ情報検査部１３（検査回路ＣＡ１〜ＣＡ９および判断回路ＪＡ１）により、ＴＭＣＣ情報ＰＡＲが検査項目１〜９の全てを満たすかが検査される（ステップＳ４４）。ＴＭＣＣ情報検査部１３による検査が通った場合、ＴＭＣＣ情報検査部４３（バッファＢＢ１〜ＢＢｎおよび判断回路ＪＢ２）により、現在のＴＭＣＣ情報ＰＡＲが過去のＴＭＣＣ情報ＰＡＲと一致するかが検査される（ステップＳ４５）。ＴＭＣＣ情報検査部４３による検査が通った場合、エラーフラグ出力部４４により、エラーフラグ信号ＥＦが非活性化される（ステップＳ４６）。そして、このときのＴＭＣＣ情報ＰＡＲを使用してパラメータ更新が実施される。（ステップＳ４７）。
【００４３】
一方、ＴＭＣＣデコード部１２により誤り訂正失敗と判断された場合、ＴＭＣＣ情報検査部１３による検査が通らなかった場合、あるいはＴＭＣＣ情報検査部４３による検査が通らなかった場合、エラーフラグ出力部４４により、エラーフラグ信号ＥＦが活性化される（ステップＳ４８）。従って、このときのＴＭＣＣ情報ＰＡＲを使用してパラメータ更新が実施されることはない。
【００４４】
以上のような第４実施形態でも、第１実施形態と同様の効果が得られる。また、第４実施形態では、ＴＭＣＣデコード部１２により誤り訂正成功と判断され、かつＴＭＣＣ情報検査部１３による検査が通った場合でも、ＴＭＣＣ情報検査部４３による検査が通らなければ、エラーフラグ出力部４４によりエラーフラグ信号ＥＦが活性化される。従って、誤ったＴＭＣＣ情報ＰＡＲがパラメータ更新に使用されてＯＦＤＭ復調装置４０が誤動作することをより確実に防止できる。
【００４５】
図１３は、本発明の第５実施形態を示している。第５実施形態を説明するにあたって、第１〜第４実施形態で説明した要素と同一の要素については、同一の符号を付して詳細な説明を省略する。第５実施形態のＯＦＤＭ復調装置５０は、第４実施形態のＯＦＤＭ復調装置４０に対して、ＴＭＣＣ情報検査部１３を第２実施形態のＴＭＣＣ情報検査部２３に置き換えて構成されている。なお、ＴＭＣＣ情報検査部４３において、バッファＢＢ１は、ＴＭＣＣ情報検査部２３の判断回路ＪＢ１によるＴＭＣＣ情報ＰＡＲは正しいとの判断に伴って、ＴＭＣＣ情報ＰＡＲを取得する。バッファＢＢ２（ＢＢ３〜ＢＢｎ）は、ＴＭＣＣ情報検査部２３の判断回路ＪＢ１によるＴＭＣＣ情報ＰＡＲは正しいとの判断に伴って、バッファＢＢ１（ＢＢ２〜ＢＢｎ−１）の保持データを取得する。
【００４６】
図１４は、図１３のＯＦＤＭ復調装置の動作を示している。前述のような構成のＯＦＤＭ復調装置５０では、まず、ＤＢＰＳＫ復調部１１により、入力信号ＩＮに対するＤＢＰＳＫ方式の復調処理が実施され、入力信号ＩＮに含まれるＴＭＣＣ信号が検出される（ステップＳ５１）。次に、ＴＭＣＣデコード部１２により、ＴＭＣＣ信号中のＴＭＣＣ情報に対する誤り訂正処理が実施される。（ステップＳ５２）。そして、ＴＭＣＣデコード部１２により、誤り訂正の成否が判断される（ステップＳ５３）。
【００４７】
ＴＭＣＣデコード部１２により誤り訂正成功と判断された場合、ＴＭＣＣ情報検査部２３（検査回路ＣＢ１および判断回路ＪＢ１）により、ＴＭＣＣ情報ＰＡＲが検査項目１を満たすかが検査される（ステップＳ５４１）。ＴＭＣＣ情報検査部２３による検査項目１についての検査が通った場合、ＴＭＣＣ情報検査部２３（検査回路ＣＢ２および判断回路ＪＢ１）により、ＴＭＣＣ情報ＰＡＲが検査項目２を満たすかが検査される（ステップＳ５４２）。この後、同様に、ＴＭＣＣ情報検査部２３（検査回路ＣＢ３〜ＣＢ９および判断回路ＪＢ１）により、ＴＭＣＣ情報ＰＡＲが検査項目３〜９を満たすかが順番に検査される（ステップＳ５４３〜Ｓ５４９）。
【００４８】
ＴＭＣＣ情報検査部２３による検査項目９についての検査が通った場合、ＴＭＣＣ情報検査部４３（バッファＢＢ１〜ＢＢｎおよび判断回路ＪＢ２）により、現在のＴＭＣＣ情報ＰＡＲが過去のＴＭＣＣ情報ＰＡＲと一致するかが検査される（ステップＳ５５）。ＴＭＣＣ情報検査部４３による検査が通った場合、エラーフラグ出力部４４により、エラーフラグ信号ＥＦが非活性化される（ステップＳ５６）。そして、このときのＴＭＣＣ情報ＰＡＲを使用してパラメータ更新が実施される。（ステップＳ５７）。
【００４９】
一方、ＴＭＣＣデコード部１２により誤り訂正失敗と判断された場合、ＴＭＣＣ情報検査部２３による検査項目１〜９についての検査のいずれかが通らなかった場合、あるいはＴＭＣＣ情報検査部４３による検査が通らなかった場合、エラーフラグ出力部４４により、エラーフラグ信号ＥＦが活性化される（ステップＳ５８）。従って、このときのＴＭＣＣ情報ＰＡＲを使用してパラメータ更新が実施されることはない。以上のような第５実施形態でも、第１、第２および第４実施形態と同様の効果が得られる。
【００５０】
なお、第１および第４実施形態（第２および第５実施形態）では、ＴＭＣＣ情報検査部１３（ＴＭＣＣ情報検査部２３）の検査対象となるＴＭＣＣ情報が、ＴＭＣＣデコード部１２における誤り訂正処理の完了後のデータである例について述べたが、本発明はかかる実施形態に限定されるものではない。例えば、ＴＭＣＣ情報検査部１３（ＴＭＣＣ情報検査部２３）の検査対象となるＴＭＣＣ情報が、ＴＭＣＣデコード部１２における誤り訂正処理の実施中のデータであってもよい。
【００５１】
以上、本発明について詳細に説明してきたが、前述の実施形態およびその変形例は発明の一例に過ぎず、本発明はこれらに限定されるものではない。本発明を逸脱しない範囲で変形可能であることは明らかである。
【図面の簡単な説明】
【００５２】
【図１】本発明の第１実施形態を示すブロック図である。
【図２】ＴＭＣＣ信号のビット構成を示す説明図である。
【図３】ＴＭＣＣ情報に対する検査項目を示す説明図である。
【図４】図１のＯＦＤＭ復調装置の動作を示すフロー図である。
【図５】本発明の比較例を示すブロック図である。
【図６】図５のＯＦＤＭ復調装置の動作を示すフロー図である。
【図７】本発明の第２実施形態を示すブロック図である。
【図８】図７のＯＦＤＭ復調装置の動作を示すフロー図である。
【図９】本発明の第３実施形態を示すブロック図である。
【図１０】図９のＯＦＤＭ復調装置の動作を示すフロー図である。
【図１１】本発明の第４実施形態を示すブロック図である。
【図１２】図１１のＯＦＤＭ復調装置の動作を示すフロー図である。
【図１３】本発明の第５実施形態を示すブロック図である。
【図１４】図１３のＯＦＤＭ復調装置の動作を示すフロー図である。
【符号の説明】
【００５３】
１０、２０、３０、４０、５０‥ＯＦＤＭ復調装置；１１‥ＤＢＰＳＫ復調部；１２‥ＴＭＣＣデコード部；１３、２３、３３、４３‥ＴＭＣＣ情報検査部；１４、３４、４４‥エラーフラグ出力部；ＢＡ１〜ＢＡｎ、ＢＢ１〜ＢＢｎ‥バッファ；ＣＡ１〜ＣＡ９、ＣＢ１〜ＣＢ９‥検査回路；ＪＡ１、ＪＡ２、ＪＢ１、ＪＢ２‥判断回路
【図１】
0004772550.tif 000002
【図２】
0004772550.tif 000003
【図３】
0004772550.tif 000004
【図４】
0004772550.tif 000005
【図５】
0004772550.tif 000006
【図６】
0004772550.tif 000007
【図７】
0004772550.tif 000008
【図８】
0004772550.tif 000009
【図９】
0004772550.tif 000010
【図１０】
0004772550.tif 000011
【図１１】
0004772550.tif 000012
【図１２】
0004772550.tif 000013
【図１３】
0004772550.tif 000014
【図１４】
0004772550.tif 000015